(57)【特許請求の範囲】
【請求項１】
第１のデバイスに関連する電子データカードを備える第２のデバイスと共に動作可能な前記第１のデバイスを有する装置であって、前記第２のデバイスの前記電子データカードの情報は、前記第１のデバイスにより使用およびアクセス可能であり、前記第１のデバイスと前記第２のデバイスは無線リンクを介して互いに接続可能であって、前記第１のデバイスはセルラネットワークに接続するために前記無線リンクを介して前記電子データカードの情報を使用し、前記第２のデバイスは、前記電子データカードへの前記第１のデバイスによるアクセスを許可している間、前記セルラネットワークへ接続できないように構成される、装置。
【請求項２】
前記第１のデバイスが、前記電子データカードの情報を使用して電話をかける、および前記セルラネットワークから電話を受けるように構成されている、請求項１に記載の装置。
【請求項３】
前記電子データカードの情報が、前記電子データカードから前記第１のデバイスへ転送可能である、請求項１または２に記載の装置。
【請求項４】
前記無線リンクは低電力無線周波数リンクである、請求項１ないし３の何れかに記載の装置。
【請求項５】
前記電子データカードが、加入者識別モジュール（ＳＩＭ）カードである、請求項１ないし４の何れかに記載の装置。
【請求項６】
前記第２のデバイスが携帯無線電話機である、請求項１ないし５の何れかに記載の装置。
【請求項７】
請求項１ないし６の何れかに記載の装置を備える、自動車。
【請求項８】
自己に関連する電子データカードを備えた第１のデバイスを有する装置であって、前記第１のデバイスは、第２のデバイスと共に動作可能であり、前記第１のデバイスの前記電子データカードの情報は、前記第２のデバイスにより使用およびアクセス可能であり、前記第１のデバイスと前記第２のデバイスは無線リンクを介して互いに接続可能であって、前記第１のデバイスは、前記第２のデバイスがセルラネットワークに接続するために前記無線リンクを介して前記電子データカードの情報を使用して動作可能であるように構成され、前記第１のデバイスは、前記電子データカードへの前記第２のデバイスによるアクセスを許可している間、前記セルラネットワークへ接続できないように構成される、装置。
【請求項９】
前記第２のデバイスが、前記電子データカードの情報を使用して電話をかける、および前記セルラネットワークから電話を受けるように構成されている、請求項８に記載の装置。
【請求項１０】
前記電子データカードの情報が、前記電子データカードから前記第２のデバイスへ転送可能である、請求項８または９に記載の装置。
【請求項１１】
前記無線リンクは低電力無線周波数リンクである、請求項８ないし１０の何れかに記載の装置。
【請求項１２】
前記電子データカードが、加入者識別モジュール（ＳＩＭ）カードである、請求項８ないし１１の何れかに記載の装置。
【請求項１３】
前記第１のデバイスが携帯無線電話機である、請求項８ないし１２の何れかに記載の装置。
【請求項１４】
第１のデバイスに関連する電子データカードを備える第２のデバイスと共に動作可能な前記第１のデバイスを提供することとであって、前記第２のデバイスの前記電子データカードの情報は、前記第１のデバイスにより使用およびアクセス可能であり、前記第１のデバイスと前記第２のデバイスは無線リンクを介して互いに接続可能である、前記提供することと；
前記第１のデバイスがセルラネットワークに接続するために前記無線リンクを介して前記電子データカードの情報を使用できるように構成することであって、前記第２のデバイスは、前記電子データカードへの前記第１のデバイスによるアクセスを許可している間、前記セルラネットワークへ接続できないように構成される、前記構成することと；
を含む、方法。
【請求項１５】
前記第１のデバイスが、前記電子データカードの情報を使用して電話をかけられる、および前記セルラネットワークから電話を受けられるように構成することを含む、請求項１４に記載の方法。
【請求項１６】
前記電子データカードの情報を前記第１のデバイスへ転送することを含む、請求項１４または１５に記載の方法。
【請求項１７】
前記無線リンクは低電力無線周波数リンクである、請求項１４ないし１６の何れかに記載の方法。
【請求項１８】
前記電子データカードが、加入者識別モジュール（ＳＩＭ）カードである、請求項１４ないし１７の何れかに記載の方法。
【請求項１９】
前記第２のデバイスが携帯無線電話機である、請求項１４ないし１７の何れかに記載の方法。
【請求項２０】
自己に関連する電子データカードを備えた第１のデバイスを提供することとであって、前記第１のデバイスは、第２のデバイスと共に動作可能であり、前記第１のデバイスの前記電子データカードの情報は、前記第２のデバイスにより使用およびアクセス可能であり、前記第１のデバイスと前記第２のデバイスは無線リンクを介して互いに接続可能である、前記提供することと；
前記第２のデバイスがセルラネットワークに接続するために前記無線リンクを介して前記電子データカードの情報を使用して動作可能であるように前記第１のデバイスを構成することと；
前記電子データカードへの前記第２のデバイスによるアクセスを許可している間、前記第１のデバイスを前記セルラネットワークへ接続できないように構成することと；
を含む、方法。
【請求項２１】
前記電子データカードの情報を前記電子データカードから前記第２のデバイスへ転送することを含む、請求項２０に記載の方法。
【請求項２２】
前記無線リンクは低電力無線周波数リンクである、請求項２０または２１に記載の方法。
【請求項２３】
前記電子データカードが、加入者識別モジュール（ＳＩＭ）カードである、請求項２０ないし２２の何れかに記載の方法。
【請求項２４】
前記第１のデバイスが携帯無線電話機である、請求項２０ないし２３の何れかに記載の方法。
【請求項２５】
第１のデバイスと自己に関連する電子データカードを備える第２のデバイスとを備えるシステムであって、前記第２のデバイスの前記電子データカードの情報は、前記第１のデバイスにより使用およびアクセス可能であり、前記第１のデバイスと前記第２のデバイスは無線リンクを介して互いに接続可能であって、前記第１のデバイスはセルラネットワークに接続するために前記無線リンクを介して前記電子データカードの情報を使用し、前記第２のデバイスは、前記電子データカードへの前記第１のデバイスによるアクセスを許可している間、前記セルラネットワークへ接続できないように構成される、システム。
【請求項２６】
コンピュータプログラムであって、第１のデバイスで実行されるとき、
セルラネットワークに接続するために無線リンクを介して、第２のデバイスの電子データカードの情報を使用することであって、前記第２のデバイスは自己に関連する電子データカードを備え、前記第２のデバイスの前記電子データカードの情報は、前記第１のデバイスにより使用およびアクセス可能であり、前記第１のデバイスと前記第２のデバイスは無線リンクを介して互いに接続可能であって、前記第２のデバイスは、前記電子データカードへの前記第１のデバイスによるアクセスを許可している間、前記セルラネットワークへ接続できないように構成される、前記使用すること、
を含む方法を前記第１のデバイスに実行させる、コンピュータプログラム。
【請求項２７】
コンピュータプログラムであって、第１のデバイスで実行されるとき、
セルラネットワークに接続するために無線リンクを介して、前記第１のデバイスに関連する電子データカードの情報を第２のデバイスが使用できるようにすることであって、前記第１のデバイスは、前記電子データカードへの前記第２のデバイスによるアクセスを許可している間、前記セルラネットワークへ接続できないように構成され、前記第１のデバイスの前記電子データカードの情報は、前記第２のデバイスにより使用およびアクセス可能であり、前記第１のデバイスと前記第２のデバイスは無線リンクを介して互いに接続可能である、前記使用できるようにすること、
を含む方法を前記第１のデバイスに実行させる、コンピュータプログラム。
【発明の詳細な説明】
【技術分野】
【０００１】
本発明は、携帯無線電話機に係り、特に、複数の携帯無線電話機の管理に関する。
【背景】
【０００２】
近年、携帯無線電話機の浸透度が非常に進み、今や多くの人口の大部分が携帯無線電話機を所有している。また、例えば、自動車設置式無線電話機と手持ち式携帯無線電話機など、複数の携帯無線電話機を所有する人の数も増えてきている。このことに関する問題点は、結局ユーザは複数の電話番号を持つ羽目になるということである。これにより、このユーザと連絡を取りたがっている人が混乱する。何故なら、彼らはそのユーザがどの無線電話機を現在使用しているのかが分からないからである。また、複数の電話番号を有するユーザにとっても問題がある。何故なら、通常、番号ごとに別々に料金を請求されたり、異なる通信網に加入している場合や、異なる価格構成を有する場合があるからである。したがって、非常に不満足な状況が生じる。
【０００３】
上記問題点を解決する１つの方法は、ユーザが、ユーザに単一の電話番号を付与する加入者識別モジュール（ＳＩＭ）を持つことである。ユーザが２つ以上の携帯無線電話機の使用を望む場合、彼は、現在使用している携帯無線電話機、例えば手持ち式の携帯無線電話機からＳＩＭから取り外し、これを別の携帯無線電話機、例えば自動車設置式携帯無線電話機に装着する。このことに関する問題点は、ＳＩＭは、デバイスに絶えず着脱できるようには設計されていないことである。したがって、ＳＩＭは、通常、携帯無線電話機のバッテリの裏側に装着され、したがって、瞬時にアクセス可能ではない。ある電話機から次の電話機にＳＩＭを着け替えるためには、両方の携帯無線電話機のバッテリを取り外し、ＳＩＭを着け替え、バッテリを元の位置に戻さなくてはならない。これは、時間のかかる、煩わしい動作である。
【０００４】
したがって、本発明の１つの目的は、複数の携帯無線電話機の使用を容易にすることである。
【摘要】
【０００５】
本発明に従えば、第１のデバイスと、これに関連する電子データカードを備える第２のデバイスとからなるシステムであって、前記電子データカードの情報は前記第１のデバイスにより使用およびアクセス可能であり、前記第１のデバイスが、前記第２のデバイスの前記電子データカードの動作特性を制御するように構成されていることを特徴とするシステムが提供される。
【０００６】
第１のデバイスが制御可能な動作特性には、電子データカードの、電力供給（例えば、電源の入切、電圧など）、再設定、クロック速度、ボーレート、クロックの停止など、がある。これらの動作特性は、電子データカードの動作および機能に関係があり、また、電子データカードに関連するカード読取装置の動作特性でもあると考えられる。本発明は、データカードから読み取られる情報の内容というよりも、むしろ、データカードがどのように機能するかに関している。
【０００７】
電子データカードは、例えば、加入者識別モジュール（ＳＩＭ）カードであったり、キャッシュカードであったり、任意の他の形式の電子データカードであっても良い。データカードは、他のデバイスが必要とする情報を記憶する。
第１および第２のデバイスの少なくとも１つが、無線通信デバイス、特に、セルラ無線電話機などの無線電話であることが好ましい。
【０００８】
本発明の第２の態様に従えば、第１のデバイスに関連する電子データカードを備える第２のデバイスと動作可能な前記第１のデバイスからなる装置であって、前記第２のデバイスの前記電子データカードの情報は、前記第１のデバイスにより使用およびアクセス可能であり、前記第１のデバイスが、前記第２のデバイスの前記電子データカードの動作特性を制御するように構成されていることを特徴とする装置が提供される。
【０００９】
本発明の第３の態様に従えば、第１のデバイスに関連する電子データカードを備える第１のデバイスからなる装置であって、前記第１のデバイスは第２のデバイスと動作可能であり、前記第１のデバイスの前記電子データカードの情報は、前記第２のデバイスにより使用およびアクセス可能であり、前記第１のデバイスが、前記第１のデバイスの前記電子データカードの動作特性を前記第２のデバイスが制御するように構成されていることを特徴とする装置が提供される。
【００１０】
本発明の別の態様に従えば、第１のデバイスに関連する電子データカードを備える前記第１のデバイスの動作を制御する方法であって、前記電子データカードの情報が、第２のデバイスにより使用およびアクセス可能であり、前記第１のデバイスの前記電子データカードの動作特性が、前記第２のデバイスにより制御されることを特徴とする方法が提供される。
【００１１】
本発明の１つの利点は、ＳＩＭに含まれる情報を、ＳＩＭを物理的に移動させる必要なしに、ある携帯無線電話機から別の携帯無線電話機に転送できることである。これは、迅速かつ簡単な手順であり、ＳＩＭの不必要な損傷を排除する。
【００１２】
本発明の別の利点は、ユーザが１つのＳＩＭ、したがって、１つの電話番号のみを持てばよいことである。これにより、そのユーザに連絡を取りたい人が、そのユーザについて複数の電話番号を知っておく必要がなくなる。１つの電話番号のみを持てばよいユーザにとっては、異なる会社から複数のＳＩＭが供給され、それぞれに請求されるという混乱が無くなる。
【００１３】
本発明のさらに別の利点は、ＳＩＭ情報を使用する端末が実際にＳＩＭ読取装置を制御するので、ＳＩＭ読取装置の機能をより単純化できることである。すなわち、ＳＩＭ情報の読取に必要な情報は、主に、ＳＩＭ情報を読取る端末内にありうる。
【００１４】
以下では、本発明を添付図面を参照しながら例示的に説明する。
【図面の簡単な説明】
【００１５】
【図１】複数の携帯無線電話機がセルラネットワークに接続する、従来技術のブロック図である。
【図２】１つの携帯無線電話機がセルラネットワークに接続する、本発明の第１の実施形態のブロック図である。
【図３】クライアントおよびサーバ間の構成およびメッセージフローを示す、本発明のブロック図である。
【図４】データ転送に使用されるメッセージ構造の１つの実施形態を示す図である。
【図５】エラー応答を示す図である。
【図６】サーバ接続時のクライアントの情報伝達を示す図である。
【図７】クライアントおよびサーバ間におけるＡＤＰＵの正常な交換を示す図である。
【図８】クライアントがサーバにＳＩＭの電源オフを要求する時の正常な動作を示す図である。
【図９】クライアントがサーバにＳＩＭの電源オンを要求する時の正常な動作を示す図である。
【図１０】クライアントがサーバにＳＩＭのリセットを要求する時の正常な動作を示す図である。
【図１１】クライアントがサーバにＳＩＭのクロック速度の変更を要求する時の正常な動作を示す図である。
【図１２】クライアントがサーバにＳＩＭのボーレートの変更を要求する時の正常な動作を示す図である。
【図１３】クライアントがサーバのカードホルダタイプを要求する時の信号フロー図である。
【図１４】図２の無線電話機の詳細図である。
【発明を実施するための最良の形態】
【００１６】
図１は、複数の携帯無線電話機がセルラネットワークに接続する、従来技術のブロック図である。無線電話機１０２は、電子データカード１０６を有する。これは、本例では、加入者識別モジュール（ＳＩＭ）である。ＳＩＭは、無線電話機１０２に加入者番号（電話番号）を提供し、無線電話機１０２とセルラネットワーク１００との接続を可能にする。無線電話機１０２が、一度セルラネットワークに接続すると、当業者が理解する通常の方法で電話をかけたり、受けたりできるように機能する。ＳＩＭ１０８を有する第２の無線電話機１０４もまた、上述のように機能する。
【００１７】
図２は、１つの携帯無線電話機がセルラネットワークに接続する、本発明の第１の実施形態のブロック図である。無線電話機２０６は、ＳＩＭ２０８を有する。本例では、無線電話機２０６を手持ち式の無線電話機とし、無線電話機２０２を自動車設置式無線電話機とする。無線電話機２０６を所持しているユーザが、無線電話機２０２が搭載された自動車に乗った場合、ユーザは、手持ち式無線電話機ではなく自動車に設置された無線電話機を使用できるのが望ましい。これは、自動車設置式無線電話機には、例えば、安全の見地から重要なハンズフリーキットが内蔵されていることが多く、また、高性能な外部アンテナが装備されているからである。無線電話機２０６および２０２には、低電力高周波（ＬＰＲＦ）リンクなどのローカル無線接続、ブルートゥース接続、または、赤外線リンクなどの他の通信手段を使用して、互いに通信できるようにする機能が装備されている。無線リンクを介して、無線電話機２０２は、無線電話機２０６内のＳＩＭから情報を取得できるので、まるで無線電話機２０２自体にそのＳＩＭが挿入されているかのように機能することができる。
【００１８】
例えば、ユーザが無線電話機２０２を装備した自動車に乗り込んだ時、通信チャネル２０４が自動的にセットアップされ、ＳＩＭ情報の転送が可能となる。したがって、無線電話機２０６にかかってきたすべての電話を無線電話機２０２で受けられる。また、無線電話機２０２からかけたすべての電話が、無線電話機２０６からのものと見なされ、したがって、その利用料金は無線電話機２０６への請求となる。無線電話機２０２を複数のユーザによって使用することもできる。例えば、レンタカーに設置された無線電話機は、その自動車を借りた顧客みんなが利用できる。ＳＩＭから情報を取得する時に、ユーザによる個人識別番号（ＰＩＮ）の再確認が不要であることが望ましい。
【００１９】
図１４は、無線電話機２０６の詳細図である。無線電話機２０６は、トランシーバ１と、セルラ電話機が通常備える他のすべての特徴とを有する。トランシーバ１は、ハンドセット筐体２内に存在し、外部アンテナ３と結合している。従来通り、筐体２内に含まれるマイクロプロセッサ４を使用して、電話機のすべての基本機能を制御する。同様に、筐体内２には、電話機のオペレーティングソフトを記憶し、マイクロプロセッサ４と結合する読取専用メモリ（ＲＯＭ）５が含まれる。ＥＥＰＲＯＭ６もまた、マイクロプロセッサ４に結合し、ＮＡＭデータ（例えば、電話番号、システムＩＤ、電子シリアル番号）と短縮ダイヤルとを記憶するために使用される（すなわち、電話番号記憶装置である）。ハンドセットはまた、視覚表示装置８およびキーパッド９からなり、同様にマイクロプロセッサ４に結合するユーザ・インタフェース７を有する。表示装置８は、例えば、液晶表示装置であっても良く、キーパッド９は、ファンクションキー、ソフトキー、および英数字キーを含んでも良い。
【００２０】
ハンドセットはまた、メモリモジュールレシーバ１０（ＳＩＭカードホルダとも呼ばれる）を有する。ＳＩＭカード２０８は、通常、ＳＩＭカードホルダ１０に取付けられ、ＳＩＭカードからの読出し／ＳＩＭカードへの書込みは、ＳＩＭカード読取装置（マイクロプロセッサ４が提供する）によって制御される。レシーバ１０は、例えば、加入者関連データ（例えば、加入者番号、システムＩＤ、システムチャネル・スキャンデータ、およびシリアル番号）を記憶できる、ＳＩＭカードなどのメモリモジュールを収容できる。このメモリモジュールレシーバ１０は、上記メモリモジュールを比較的まっすぐに差し込んだり引き抜いたりできるように設計される。レシーバ１０は、ハンドセット筐体２内に収納部または仕切りを形成できる。ＳＩＭカードはまた、前記加入者関連データだけではなく、例えば、蓄積ダイヤル情報、料金度数計情報、機能制御情報、認証アルゴリズムなどの、他の加入者関連情報やアプリケーションを含むことができる。ここで注意してもらいたいのは、ＳＩＭカードは、単なる受動メモリカードではなく、メモリだけでなく情報を内部処理する機能を併せ持つ、公知のプロセッサカードでもあるということである。マイクロプロセッサ４が、ＳＩＭに記憶されたデータを使用することにより、電話機が対応するネットワーク上で通信可能となる。ＳＩＭカードに記憶された他のデータをマイクロプロセッサ４が使用することにより、従来通り、例えば、電話機の動作を制御したり、修正したり、監視したりできる。
【００２１】
以下では本発明をさらに詳細に説明する。
【００２２】
図２に示すように、無線電話機２０６および２０２はまた、それぞれ、サーバおよびクライアントと指定する。この用語法を本明細書全体にわたって使用する。
【００２３】
サーバは、ＳＩＭ２０８などのＳＩＭに直接アクセス可能であり、これと物理的接続を確立している。サーバは、クライアント２０２などのクライアントによるＳＩＭのサービスやファイルへのアクセスを許可する。上述のように、サーバの典型例は、自動車電話（クライアント）が設置された自動車に持ち込まれる携帯電話機である。クライアントは、ＬＰＲＦなどの無線リンク、または、いわゆるブルートゥース通信を介してサーバに接続している。クライアントは、サーバ内のＳＩＭのサービスやファイルにアクセスし、ＳＩＭの情報を使用してセルラネットワークと接続できる。
【００２４】
サーバは、ＳＩＭへのクライアントによるアクセスを許可している間は、アクティブにネットワーク接続できないことが望ましい。
クライアント−サーバ装置の動作は、多数の異なる方法で設定可能である。例えば、ＳＩＭに記憶された加入者情報を使用してクライアントとのネットワーク接続を確立すること、サーバのＳＩＭを使用してクライアントから電話をかけること、ネットワークからの電話をクライアントが受けること、および、サーバのＳＩＭに記憶されたデータにクライアントがアクセスすること、などがある。
ＳＩＭはサーバ内にあり、以下で概説する手順によりクライアントからアクセス可能である。
【００２５】
本発明により、ＧＳＭ１１．１１および１１．１４規格で指定されたメッセージの送信が可能となり、さらに、ＳＩＭおよびサーバの状態に関する情報を転送する手段が提供される。この情報は、例えば、ＧＳＭ１１．１４で規定されているＳＩＭアプリケーションツールキット手順に必要である。
クライアントおよびＳＩＭ間のデータ伝送は、アプリケーションプロトコルデータユニット（ＡＰＤＵ）を交換することによって行われる。サーバは、ＡＰＤＵをブルートゥースリンクを介してＳＩＭからクライアントへ渡すメディエータの機能を果たし、逆の場合もまた同様である。
【００２６】
サーバはまた、ＳＩＭとの物理的接続を確立・維持する役割も果たす。サーバは、ＳＩＭへのクライアントアクセスを許可する前にＳＩＭのブロックを解除することが望ましい。
クライアントが、ＳＩＭまたはサーバ自体に関する情報をサーバから要求すると、サーバは、要求されたデータをブルートゥースリンクを介して送信する。
クライアントおよびサーバは、下記の機能を処理できることが望ましいが、当業者であれば、クライアントまたはサーバのどちらか一方、もしくは、両方がこの機能を装備できることが理解できるだろう。必要な機能には、以下のものがあるが、これらに限定されない。
【００２７】
−接続管理−すなわち、サーバおよびクライアント間のブルートゥース接続を確立および解除する機能。
−ＡＰＤＵ転送−すなわち、ブルートゥースリンクを介してＡＰＤＵを送信する機能。ＳＩＭに送信されたＡＰＤＵを'コマンドＡＰＤＵ'と呼び、ＳＩＭが送信したＡＰＤＵを'応答ＡＰＤＵ'と呼ぶ。コマンドＡＰＤＵおよび応答ＡＰＤＵは、ペアでしか発生しない、つまり、各コマンドＡＰＤＵの後には応答ＡＰＤＵが続く。ＡＰＤＵの交換は、常に、クライアントにより開始される。
−ＡＴＲ転送−すなわち、リセットへの応答（ＡＴＲ）の内容をブルートゥースリンクを介してサーバからクライアントへ送信する機能。ＡＴＲは、ＳＩＭがリセットされた後にＳＩＭによってサーバへ送信される。ＡＴＲには、ＳＩＭが提供するインタフェースおよびＳＩＭのサービスに関する情報が含まれる。この情報の一部はまた、クライアントにおいて必要となる。
【００２８】
−ＰＰＳ手順の転送結果−すなわち、パラメータおよびプロトコル選択（ＰＰＳ）手順の結果をブルートゥースリンクを介してサーバからクライアントへ送信する機能である。ＰＰＳ手順は、ＳＩＭのインタフェースパラメータを変更するために、サーバにより実行可能である。この手順の結果もまた、クライアントにおいて必要とされる。
−ＳＩＭの電源オフ−すなわち、遠隔的にＳＩＭの電源をオフにする機能。例えば、クライアントがＳＩＭの電源をオフにするようにサーバに要求する。この機能は、例えば、ＳＩＭ ＡＴＫ（アプリケーションツールキット）目的で必要となる。
−ＳＩＭの電源オン−すなわち、遠隔的にＳＩＭの電源をオンにする機能。例えば、クライアントがＳＩＭの電源をオンにするようにサーバに要求する。この機能は、例えば、ＳＩＭ ＡＴＫ目的で必要となる。サーバが後にＳＩＭのブロックを解除する必要がある。
【００２９】
−ＳＩＭのリセット−すなわち、ＳＩＭを遠隔的にリセットする機能である。例えば、クライアントがＳＩＭをリセットするようにサーバに要求する。この機能は、例えば、ＳＩＭ ＡＴＫ目的で必要となる。サーバが後にＳＩＭのブロックを解除する必要がある。
−クロック速度の変更−すなわち、クロック速度を遠隔的に変更する機能である。例えば、クライアントがＳＩＭのクロック速度を変更するようにサーバに要求する。サーバがＳＩＭに適用するクロック速度は、（ボーレートと共に）サーバがＳＩＭと通信する速度を決定する。
【００３０】
−ボーレートの変更−すなわち、ボーレートを遠隔的に変更する機能である。例えば、クライアントがＳＩＭのボーレートを変更するようにサーバに要求する。ボーレートは、（クロック速度と共に）サーバがＳＩＭと通信する速度を決定する。
−カードホルダタイプの転送−すなわち、カードホルダタイプ情報をブルートゥースリンクを介してサーバからＲＡＡクライアントへ送信する機能。カードホルダタイプは、カード読取装置に挿入可能なＳＩＭカードの形式（例えば、ＩＤ−１であるとか、プラグインＳＩＭなど）を表す。この情報は、例えば、ＳＩＭ ＡＴＫ目的で必要となる。
【００３１】
図３は、本発明のクライアントおよびサーバ間の構成およびメッセージの流れを示すブロック図である。
好適な実施形態では、クライアントおよびサーバ間のデータ転送は、マルチプルバイトフィールドを使用して標準ネットワークバイト順で（ビッグエンディアン）行われる。つまり、より重要な（高位の）バイトをあまり重要でない（低位の）バイトの前に転送する。
【００３２】
図４は、データ転送に使用されるメッセージの構造の１つの実施形態を示す図である。各プロトコルメッセージは、メッセージヘッダを含み、その後にメッセージ固有ペイロードが続く。ヘッダは、４つのフィールド、すなわち、ＭＳＧ ＩＤ、トランザクションＩＤ、予備フィールド、およびペイロード長を含む。予備フィールドは、異なるマイクロコンピュータアーキテクチャにデータアラインメントを提供するために使用される。
指示以外のすべてのトランザクションは、要求メッセージと応答メッセージのペアからなることが望ましい。一般に、要求メッセージの各タイプは、対応する応答メッセージを有する。しかし、要求が不適切にフォーマットされているとサーバが判断した場合や、何らかの理由でサーバが適切なメッセージタイプで応答できない場合、サーバは、図５に示すようにエラー応答メッセージで応える。
【００３３】
図６は、クライアントがサーバと接続している時の信号伝達を示す図である。一度この手順が実行されれば、クライアントおよびサーバはＡＰＤＵの交換を開始できる。
接続が確立される前に、サーバはＳＩＭの電源をオンにし、ＳＩＭのブロックを解除しなければならない。ＳＩＭをセルラネットワークとの接続に使用してはならない。クライアントおよびサーバ間の接続は、クライアントまたはサーバのどちらかが解除可能である。
【００３４】
クライアントは、上記接続解除を開始する前に、セルラネットワークとの接続を終了させる必要がある。サーバが上記接続解除を開始する場合にも、クライアントは直ちにセルラネットワークとの接続を終了させる必要がある。
ＡＰＤＵ転送には、転送コマンドＡＰＤＵおよび転送応答ＡＰＤＵ手順が使用される。
クライアントは、ＳＩＭからＡＴＲを送信するようにサーバに要求する。クライアントの要求後、サーバはＡＴＲをクライアントに送信する。これには、転送ＡＴＲ手順が使用される。
【００３５】
クライアントは、ＰＰＳ手順の結果を送信するようにサーバに要求する。クライアントの要求後、サーバは要求された情報をクライアントに送信する。ＰＰＳ手順が行われなかった場合には、適切なエラーメッセージがクライアントへ送信される。転送ＰＰＳ結果手順が、この機能のために使用される。
クライアントは、ＳＩＭの電源をオフにする、つまり、カードから電圧を奪うようにサーバに要求する。正常にＳＩＭの電源をオフにした後、サーバは確認メッセージをクライアントに送信する。何らかの理由で、電源オフに失敗した場合には、適切なエラーメッセージがクライアントに送信される。ＳＩＭ電源オフ手順は、この機能のために使用される。
【００３６】
クライアントは、ＳＩＭの電源をオンにする、つまり、供給電圧およびクロック信号をＳＩＭに加えるようにサーバに要求する。ＳＩＭの電源をオンにした後、サーバはＰＰＳ手順を実行できる。次に、サーバは再度ＳＩＭのブロックを解除する。正常にＳＩＭの電源がオンにされた場合、サーバは確認メッセージをクライアントに送信する。何らかの理由で、電源オンに失敗した場合には、適切なエラーメッセージがクライアントに送信される。ＳＩＭ電源オン手順は、この機能のために使用される。
【００３７】
クライアントは、ＳＩＭをリセットするようにサーバに要求する。ＳＩＭをリセットした後、サーバはＰＰＳ手順を実行できる。次に、サーバは再度ＳＩＭのブロックを解除する。正常にＳＩＭがリセットされた場合、ＲＡＡサーバは確認メッセージをＲＡＡクライアントに送信する。何らかの理由で、リセットに失敗した場合には、適切なエラーメッセージがＲＡＡクライアントに送信される。ＳＩＭリセット手順は、この機能のために使用される。
【００３８】
クライアントは、ＳＩＭに適用されるクロック速度を変更するようにサーバに要求する。正常にクロック速度を変更した後、サーバは確認メッセージをクライアントに送信する。クロック速度の変更に失敗した場合には、適切なエラーメッセージがクライアントに送信される。クロック速度変更手順は、この機能のために使用される。
クライアントは、ＳＩＭとの通信に使用されるボーレートを変更するようにサーバに要求する。正常にクロック速度を変更した後、サーバは確認メッセージをクライアントに送信する。ボーレートの変更に失敗した場合には、適切なエラーメッセージがクライアントに送信される。プロトコルのボーレート変更手順は、この機能のために使用される。
【００３９】
クライアントは、カードホルダタイプ送信するようにサーバに要求する。クライアントの要求後、サーバはカードホルダタイプをクライアントに送信する。カードホルダタイプ転送手順は、この機能のために使用される。
サーバまたはクライアントがリンクロスを検知した場合には、クライアントは直ちにセルラネットワークとの現在の接続を終了させる。
サーバだけが照会スキャンを実行できることが望ましい。サーバは制限付照会アクセスコードを使用する。
【００４０】
携帯電話プロファイルのＲＡＡサーバ役で動作するデバイスは、デバイスフィールドのクラスにおいて、
１．サービスクラスフィールドに"電話"ビットをセットし、
２．主要デバイスクラスとして"サーバ"を示す。
これは、照会応答をフィルタリングする照会デバイスによって使用可能である。
ページングはクライアントだけが実行できることが望ましい。通常、クライアントは、サーバに接続していない時には、サーバの周期的なページングを実行する。（レンジ内検出の平均待ち時間を決定する）ページング試行間の間隔は、指定されていない。
【００４１】
サーバは、少なくとも、ページスキャンタイプＲ０、Ｒ１、およびＲ２の１つをサポートする。ページスキャンＲ０を使用すれば、最高のパフォーマンスが得られる。サーバはできるだけたくさんのフリーキャパシティをページスキャニングに充てることが推奨される。クライアントは、ページスキャンタイプＲ０、Ｒ１、およびＲ２の少なくとも１つをサポートする。
【００４２】
リンク制御（ＬＣ）層上のほとんどの機能を、リンクマネージャプロトコル（ＬＭＰ）手順によって起動しなければならないので、たいていの場合、エラーは前記層で見つかる。しかし、例えば、ある種のパケットタイプの照会、ページング、または使用など、ＬＭＰ層から独立したＬＣ手順もある。上記機能の不正使用の検知は、困難であるか、時には不可能である。上記使用を検知または防止するためのメカニズムは確立されていない。
次のシーケンスが実行された後、クライアントおよびサーバはＡＰＤＵの交換を開始できる。
【００４３】
当業者であれば、クライアントおよびサーバ両方の働きをすることができるデバイスがあることは理解できるだろう。また、ＳＩＭを装備できない端末は、クライアントとしてしか機能できない。別の状況では、端末が、自己のＳＩＭを外部デバイスに提供したり、別のデバイスのＳＩＭに遠隔的にアクセスしたりしても良い。
第１および第２のデバイスは、様々な形態を取ることができ、例えば、一方または両方が、無線通信デバイス（特に無線電話デバイス）またはゲームコンソールであっても良い。他の形態のデバイスも考えられ、この言葉は、広い意味で解釈すべきである。
【００４４】
無線リンクについての記載を、本明細書に含まれる発明思想を失うことなく、ダイレクトな有線接続に同等に置き換えることができる。スマートカード（電子データカード）についての記載は、無線電話機に使用されるスマートカードには限定されず、したがって、ＷＩＭ、電子商取引用のキャッシュカード、セキュリティカードなどの他のスマートカードを含むことも意図している。
【図１】
0005377674.tif 000002
【図２】
0005377674.tif 000003
【図３】
0005377674.tif 000004
【図４】
0005377674.tif 000005
【図５】
0005377674.tif 000006
【図６】
0005377674.tif 000007
【図７】
0005377674.tif 000008
【図８】
0005377674.tif 000009
【図９】
0005377674.tif 000010
【図１０】
0005377674.tif 000011
【図１１】
0005377674.tif 000012
【図１２】
0005377674.tif 000013
【図１３】
0005377674.tif 000014
【図１４】
0005377674.tif 000015